(57)【特許請求の範囲】
【請求項１】
軒線に沿って多段状に葺き上げられた屋根材４の表面に、軒棟方向に長い化粧体５が一定間隔おきに配置してある横葺型の屋根構造であって、
化粧体５は、断面半円状の主壁１１と、主壁１１の左右両側壁を内側へ折り曲げ形成した断面Ｖ字状の弾性係合部１２とを含み、
化粧体５は、上下に隣接する屋根材４・４の接合部に固定した取付具２０を介して屋根材４に固定されており、
取付具２０は、ベース２２と、ベース２２の上端側に設けられて下段側の屋根材４より棟側に位置する屋根下地材３に締結固定される締結座部２５と、ベース２２の下部上面に設けられて下段側の屋根材４の表面に突出する角枠状の受部２３とを備えており、
取付具２０の受部２３の上面に固定される係合枠２１を有し、
係合枠２１は、下向きに延びる左右一対の係合脚部３０が折り曲げ形成されたプレス金具からなり、左右の係合脚部３０の下部側に係合段部３１が凹み形成されており、
化粧体５の弾性係合部１２を係合枠２１の係合段部３１に上方から圧嵌係合することにより、化粧体５が取付具２０に係合枠２１を介して抜け止め固定されており、
ベース２２の屋根下地材３との締結座部２５が、上段側の屋根材４で覆われていることを特徴とする横葺型の屋根構造。
【請求項２】
屋根材４と対向する化粧体５の主壁１１および弾性係合部１２の下部に、軒棟方向へ連続する屋根材４の連続段形状に沿う鋸刃状の切欠部１４が連続して切り欠き形成されている請求項１記載の横葺型の屋根構造。
【請求項３】
切欠部１４に臨む切欠縁１５が、化粧体５の内面側へ折り曲げ形成されている請求項２記載の横葺型の屋根構造。  
【発明の詳細な説明】
【０００１】
【発明の属する技術分野】
この発明は、横葺構造の屋根材の表面に棒状の化粧体が軒棟方向に装着してある横葺型の屋根構造に関する。化粧体は、主として横葺屋根の外観上の単調さを解消して屋根の外観に変化を与え、見た目の印象と意匠性を向上するために設けられている。
【０００２】
【従来の技術】
この種の横葺屋根構造として、特開２０００−３１００１０公報が公知である。そこでは、上下に隣接する屋根材の接合部を利用して一群の取付金具を軒棟方向に配置固定し、これらの金具に化粧瓦棒を固定している。取付金具は、屋根材の接合部に差し込み係合される座部と、平面視においてコ字状に折り曲げられる締結枠部とを備えており、締結枠部の縦壁を上段側の屋根材の軒側端面にブラインドリベットで固定して、屋根材と一体化してある。化粧瓦棒は樋状に形成してあり、その開口面が屋根材と対向する状態で取付金具に被せ付けられて、左右両側壁がブラインドリベットで締結枠部に固定してある。
【０００３】
【発明が解決しようとする課題】
上記の屋根構造では、取付金具を屋根材の軒側端面にブラインドリベットで固定するので、屋根材の軒側端面にリベット穴を通設する必要があり、そのため、長期使用時にリベット穴から屋根材の内部へ雨水が浸入するおそれがある。確実な防水性が得られにくい点に改良の余地がある。また、上記の屋根構造では、リベット穴から雨水が浸入するのを防ぐために、取付金具の締結面に防水テープを接着しているが、長期使用時に防水テープが劣化し、あるいは変質するおそれがあるので、長期にわたる防水性を保証することが難しい。防水テープを付加する分だけ、余分なコストが嵩む不利もある。
【０００４】
取付金具を屋根材の軒側端面にブラインドリベットで固定し、さらに化粧瓦棒の左右両側をブラインドリベットで取付金具に固定するので、屋根材の軒側端面と化粧瓦棒の左右両側のそれぞれに、予めリベット穴を形成しておく必要がある。さらに化粧瓦棒を取付金具に固定するときは、化粧瓦棒の多数個所をブラインドリベットで締結する必要があり、化粧瓦棒の取り付けに多くの手間を要し、その分だけ化粧瓦棒を備えた横葺屋根の構築に要するコストが高く付く。
【０００５】
この発明の目的は、化粧体の屋根材に対する取付構造を改良して、屋根材の内部へ雨水が浸入するのを確実に防止し、これにより長期使用時の防水性を保証できる横葺型の屋根構造を提供することにある。この発明の他の目的は、化粧体の屋根材に対する取付作業を少ない手間で迅速に行え、従って構築に要する費用を削減できる横葺屋根を提供することにある。
【０００６】
【課題を解決するための手段】
この発明の横葺屋根は、軒線に沿って多段状に葺き上げられた屋根材４の表面に、軒棟方向に長い化粧体５が一定間隔おきに配置してある。化粧体５は、上下に隣接する屋根材４・４の接合部に固定した取付具２０を介して屋根材４に固定する。取付具２０は、下段側の屋根材４より棟側に位置する屋根下地材３に締結固定されるベース２２と、ベース２２と一体化されて下段側の屋根材４の表面に突出する受部２３とを備えている。化粧体５は、屋根材４の表面と対向する状態で前記受部２３に装着固定する。そしてベース２２の屋根下地材３との締結部分が、上段側の屋根材４で覆われていることを特徴とする。
【０００７】
前記の化粧体５は、取付具２０に対して圧嵌係合することによって一体化できる。具体的には、取付具２０に、左右一対の係合段部３１を備えた係合枠２１を固定する。樋体状に形成される化粧体５の内面両側に、前記係合段部３１で抜け止め係合される弾性係合部１２を一体に折り曲げ形成する。化粧体５の弾性係合部１２を、係合枠２１の係合段部３１に上方から圧嵌係合して、化粧体５を取付具２０に係合枠２１を介して固定する。
【０００８】
屋根材４と対向する化粧体５の下端両側に、軒棟方向へ連続する屋根材４の連続段形状に沿う鋸刃状の切欠部１４を連続して切り欠き形成する。好ましくは、切欠部１４に臨む切欠縁１５を、化粧体５の内面側へ折り曲げておく。
【０００９】
【発明の作用効果】
化粧体５を屋根材４に固定するための取付具２０が、ベース２２と受部２３とで構成され、図１に示すようにベース２２を下段側の屋根材４より棟側に位置する屋根下地材３に締結固定して、ベース２２と屋根下地材３との締結部分を上段側の屋根材４で覆うので、取付具２０の締結部から屋根材４の内部へ雨水が浸入するのを確実に防止できる。従って、化粧体５を備えた横葺型の屋根構造において、長期使用時の防水性を保証し、その分だけ信頼性を向上できる。防水テープなどのシール体を用いて防水する必要がないので、長期使用時の防水テープの劣化や変質を懸念する必要がないうえ、防水テープを省略できる分だけ構築コストを削減化できる。
【００１０】
取付具２０に左右一対の係合段部３１を備えた係合枠２１を固定し、化粧体５の内面両側に設けた弾性係合部１２を係合枠２１の係合段部３１に圧嵌係合して、化粧体５を取付具２０に固定する屋根構造によれば、化粧瓦棒の左右両側をブラインドリベットで取付金具に固定していた従来の屋根構造に比べて、化粧体５の屋根材４に対する取付作業を少ない手間で迅速に行え、屋根の構築に要する手間と時間を削減できる分だけ構築費用を削減し低コスト化できる。
【００１１】
屋根材４と対向する化粧体５の下端両側に、図３に示すように軒棟方向へ連続する屋根材４の連続段形状に沿う鋸刃状の切欠部１４を連続して切り欠き形成してあると、化粧体５と屋根材４との間に隙間が生じないので、化粧体５を風圧に対して安定的に固定できる。屋根材４と化粧体５とが切欠部１４を介して係合するので、両者４・５が相対移動するのをよく防止できるうえ、積雪時の雪の重みなどの上からの荷重を、屋根材４と化粧体５とで協同して負担させることができる。屋根材４と化粧体５の一体感を強調し、外観上きちんと仕上げられた印象を与えることもできる。
【００１２】
切欠部１４に臨む切欠縁１５を化粧体５の内面側へ折り曲げると、切欠切断面を化粧体５で覆って切断面が雨水に晒されるのを阻止できるので、切断面が錆付くのをよく防止できる。化粧体５を屋根材４に組むときに、切断面が屋根材４と擦れ合って表面の塗装層を傷付けたり、化粧体５の取り扱い時に手指を切ってしまうことも解消できる。切欠縁１５の折り曲げ基端部の構造強度を向上できるので、積雪によって化粧体５に強い圧力が作用するような場合にも、化粧体５が圧潰変形するのをよく防止して、良好な外観を維持し続けることができる。
【００１３】
【実施例】
（実施例１）  図１ないし図７は、この発明を適用した横葺型の屋根構造の実施例を示す。図２および図３において、横葺屋根は、図外の母屋上に木毛板や合板などの野地板１を取り付け、その外面にアスファルトシートやゴムシートなどの防水シート２を敷設して屋根下地材３を形成したうえで、屋根材４を軒側から棟側へ多段状に葺き上げて構築される。屋根材４の表面には、屋根の外観に変化を与え、横葺屋根の外観上の単調さを解消するための化粧体５が、一定間隔おきに配置してある。
【００１４】
図３において、屋根材４は塗装鋼板を素材にして形成される本体部４ａと、本体部４ａの内面に固定した裏貼材４ｂとで、上下幅が小さく左右方向へ長い帯状に形成してあり、その下縁側に下係合部６を折り曲げ形成し、上縁側に上係合部７と、先の屋根下地材３に止め付けられる締結部８とを折り曲げ形成してなる。裏貼材４ｂは、断熱作用と防音作用を発揮し、さらに上下の接合部においてシール作用を発揮するために設けてあり、例えば発泡プラスチックシートや、発泡ゴムシートで形成する。
【００１５】
下係合部６は、本体部４ａの板面を下面側へ鉤形に折り曲げて形成してあり、下係合部６によって区画される溝部は棟側へ向かって開口している。上係合部７は、本体部４ａの板面を上面側へ鉤形に折り曲げて形成してあり、上係合部７によって区画される溝部は軒側へ向かって開口している。この上係合部７より棟側に、締結部８が連続して折り曲げて形成してある。
【００１６】
既に固定した下段側の屋根材４の上係合部７には、図４に示すごとくこれから葺こうとする上段側の屋根材４の下係合部６を掛け止め係合し、締結部８を屋根下地材３にセルフドリリングビス９で締結することにより、１単位の屋根材４を屋根下地材３に固定でき、この後に、先に葺き上げた屋根材４の横隣に新たな屋根材４を次々に葺くことによって新しい屋根段を構成できる。
【００１７】
化粧体５は、樋状の中空棒体からなり、図６および図７に示すように、断面半円状の主壁１１を有し、主壁１１の左右両側壁を内側へ折り曲げて断面Ｖ字状の弾性係合部１２を形成し、その上側に接当壁１３を連続して折り曲げ形成してなる。屋根材４と対向する化粧体５の下端両側、詳しくは主壁１１および弾性係合部１２の下部には、鋸刃状の切欠部１４を連続して切り欠き形成し、化粧体５を屋根材４に組み付けた状態において、切欠部１４が軒棟方向へ連続する屋根材４の連続段形状に沿うようにしてある。
【００１８】
切欠部１４に臨む切欠縁１５を主壁１１の内面側へ折り曲げて、折り曲げ基端を屋根材４に接する接当部１６としている。切欠縁１５を含む折曲げ壁は、主壁１１に接当する状態で折り曲げることが好ましいが、この加工は難しいので、図６の想像線で示すように主壁１１とほぼ直交するように折り曲げてあれば足りる。このように切欠縁１５を主壁１１の内面側へ折り曲げると、切欠切断面を化粧体５の内面に臨ませて、雨水に晒されるのを阻止できるので、切欠切断面が錆付くのをよく防止できる。また、化粧体５を屋根材４に組むとき、先の切断面が屋根材４と擦れ合って、屋根材４の表面の塗装層を傷付けたり、化粧体５の取り扱い時に手指を切ってしまうことも解消できる。図７の展開図における破線は切欠縁１５の折曲げ線を示している。
【００１９】
化粧体５は、それ専用の取付構造を介して屋根材４に装着固定する。図５において取付構造は、上下に隣接する屋根材４・４の接合部に固定される取付具２０と、取付具２０に固定される係合枠２１とからなり、取付具２０を上段側の屋根材４で覆われる屋根下地材３に固定して、取付具２０の取付部からの漏水を確実に防止する点と、化粧体５を係合枠２１に対して圧嵌係合するだけで、屋根材４と一体化できるようにする点に特徴を有する。
【００２０】
取付具２０は、ベース２２と、その下部上面に溶接した角枠状の受部２３とからなり、ベース２２の上下中途部に上係合部７に外嵌する逃げ部２４を設け、ベース２２の上端側に数個のねじ挿通穴２７が通設された締結座部２５を設けてなる。既に固定した下段側の屋根材４の上係合部７にベース２２の逃げ部２４を外嵌したうえで、屋根材４の締結部８より棟側に位置する締結座部２５を屋根下地材４に締結具２６で締結することにより、取付具２０を固定できる。この後、先に説明した要領で、これから葺こうとする上段側の屋根材４の下係合部６を、下段側の屋根材４の上係合部７および逃げ部２４に掛け止め係合し、締結部８を屋根下地材３にセルフドリリングビス９で締結することにより、図１に示すように取付具２０を上下の屋根材４・４の接合部に組むことができる。この取付状態においては、ベース２２の締結座部２５と締結具２６とが、上段側の屋根材４で完全に覆われるので、取付具２０を設けることで漏水を生じる可能性は皆無となる。締結具２６としては、セルフドリリングビス、タッピンねじ、木ねじなどのねじを適用できる。
【００２１】
係合枠２１は、図５および図６に示すように左右一対の接当リブ２８を有する締結枠部２９と、接当リブ２８に連続して下向きに延びる左右一対の係合脚部３０とを一体に折り曲げ形成したプレス金具からなり、左右の係合脚部３０の下部側に係合段部３１を凹み形成してなる。この係合段部３１で、化粧体５に設けた弾性係合部１２を受け止め係合して、化粧体５を抜け止め固定できる。係合枠２１は、一対の接当リブ２８が受部２３の上面壁と接する状態で、セルフドリリングビス３２によって受部２３に固定され、この固定状態において、左右の係合段部３１は受部２３の左右側面に位置し、屋根材４の表面から浮き離れている。
【００２２】
屋根を構築する場合には、先に説明した要領で下段側の屋根材４、取付具２０、上段側の屋根材４を順に屋根下地材３に固定し、一群の取付具２０を軒棟方向線に沿って直線列状に取り付ける。次に、取付具２０の受部２３に係合枠２１をセルフドリリングビス３２で締結したうえで、軒側から化粧体５を係合枠２１に圧嵌係合して、化粧体５を係合枠２１と取付具２０を介して屋根材４に固定する。この状態では、図６に示すように化粧体５の弾性係合部１２が、係合枠２１の係合段部３１に密着係合しているので、化粧体５が係合枠２１から抜け外れることはない。また、切欠部１４は、図１に示すように、軒棟方向へ連続する屋根材４の連続段形状に沿って、化粧体５の両側下端部が屋根材４で受け止められ、切欠段部が屋根材４の軒側端壁と係合して、両者の相対移動が規制されている。最後に、化粧体５の軒側端部に化粧キャップ３３を装着する。
【００２３】
上記の実施例では、化粧体５を断面半円状に形成したが、化粧体５の断面形状は、コ字状やΩ字状など必要形状に変更できる。化粧体５は、軒線と直交配置する必要はなく、例えば、棟から軒へ向かって放射状に配置することができ、ドーム状の屋根においては更に複雑な形状に配置することができる。化粧体５は、取付具２０の受部２３にねじやビスなどの締結具で直接締結して固定することができる。取付具２０はプレス金具で構成する以外に、プラスチック成形品で形成してもよい。
【００２４】
上記の実施例では、主壁１１側の切欠縁１５のみを内面側へ折り曲げたが、必要があれば弾性係合部１２側の切欠縁１５も同様に内面側へ折り曲げることができる。切欠部１４の切り欠き形状は鋸刃状に連続している必要はなく、断続的に切欠部１４を形成してもよい。切欠部１４を省略した状態で化粧体５を形成することができる。例えば、化粧体５を断面Ω字状に形成して、その左右両側のフランジ壁に、切欠部１４に相当する段部を連続形成することができる。係合枠２１は、取付具２０の受部２３と一体に形成することができる。
【図面の簡単な説明】
【図１】横葺屋根における化粧体の取付構造を示す断面図である。
【図２】横葺屋根の斜視図である。
【図３】化粧体を分離した状態の横葺屋根の縦断側面図である。
【図４】屋根材の接合構造を示す断面図である。
【図５】化粧体取付構造を示す分解斜視図である。
【図６】図１におけるＡ−Ａ線断面図である。
【図７】化粧体の断面図と展開図である。
【符号の説明】
３  屋根下地材
４  屋根材
５  化粧体
１２  弾性係合部
１４  切欠部
１５  切欠縁
２０  取付具
２１  係合枠
２２  ベース
２３  受部
【図１】
0003568492.tif 000002
【図２】
0003568492.tif 000003
【図３】
0003568492.tif 000004
【図４】
0003568492.tif 000005
【図５】
0003568492.tif 000006
【図６】
0003568492.tif 000007
【図７】
0003568492.tif 000008